(57)【要約】  【課題】  受け入れた遊技球を契機領域あるいは非契機領域のいずれかに振り分ける振り分け機構の構成として、遊技球流入空間の大きさを変化させることによって、契機領域への流入期待度の高い受け入れ順位を変化させることができる遊技機を提供する。  【解決手段】  振り分け装置５０は、受入口５３から遊技球を遊技球流入空間６２に受け入れて、２個目の受け入れ順位の遊技球を作動契機領域７０へ案内する非特別期間から、可動側壁５８が変位することで遊技球を１個退避可能な退避空間を付加形成して３個目の受け入れ順位の遊技球を作動契機領域へ案内するする特別期間に状態変化して、作動契機領域７０へ案内される遊技球の受け入れ順位を変化させる。  【選択図】  図６
2008264204.tif 000002
【特許請求の範囲】
【請求項１】
遊技球を発射する発射装置と、
該発射装置によって発射された遊技球が打ち込まれる遊技領域と、
該遊技領域に設けられ遊技の進行に関連付けられた電動装置と、
遊技球が通過することが前記電動装置の作動開始契機としての役割が付与されている契機領域と作動開始契機としての役割が付与されていない非契機領域と、
遊技球を受け入れる受入口を備え、該受入口から受け入れた遊技球を契機領域或いは非契機領域のいずれかに振り分ける振り分け装置と、
前記契機領域に振り分けられた遊技球を検出する遊技球検出手段と、
該遊技球検出手段からの検出信号に基づいて前記電動装置の作動制御を開始する作動制御手段と、
を備えた遊技機であって、
前記振り分け装置は、前記受入口から受け入れた遊技球が流入し、且つ後方位置で前記契機領域と連通する遊技球流入空間を備え、
該遊技球流入空間は、
遊技球を載置可能であって当該載置された遊技球の所定方向への案内作用を有する案内面が形成され、前記受入口の下方位置であって所定高さ位置となる案内位置で前記流入した遊技球を下支えする下支え案内部材と、
前記下支え案内部材の前方を覆い、前記流入した遊技球の前方への転動を規制するカバー部材と、
前記流入した遊技球が１個だけ落下可能な間隔で設けられ、前記下支え案内部材に下支えされた遊技球の左右方向への転動を規制する側壁部と、を備え、
該側壁部は、
所定の非特別期間が終了して所定の特別期間が到来すると常態位置から左右方向に変位し移動位置に状態変化して前記下支えされた遊技球を少なくとも１個退避可能な退避空間を付加形成する可動側壁部を備え、
前記振り分け装置は、前記下支え案内部材の案内面の高さ位置を所定の周期性を持たせて変化させる下支え案内部材駆動手段を更に備え、
前記遊技球流入空間において、
前記下支え案内部材駆動手段が作動し、前記案内面が所定の高さ位置となる案内位置で下支えし且つ前記非特別期間中で前記可動側壁部が常態位置にある時には、前記受入口から前記遊技球流入空間へ受け入れた遊技球を、前記契機領域へは案内せずに前記案内面上に載置したままの第１載置遊技球として前記遊技球流入空間に保留して、前記受入口から前記遊技球流入空間へ受け入れた後続の遊技球が当該第１載置遊技球上に落下してきた場合には当該後続の遊技球を直ちに前記契機領域へ案内するようにし、
前記下支え案内部材駆動手段が作動し、前記案内面が前記案内位置で下支えし且つ前記非特別期間が終了して前記特別期間中で前記可動側壁部が移動位置にある時には、前記第１載置遊技球を前記退避空間に退避させ、続いて前記受入口から前記遊技球流入空間へ受け入れた遊技球を、前記契機領域へは案内せずに前記案内面上に載置したままの第２載置遊技球として前記遊技球流入空間に保留して、前記受入口から前記遊技球流入空間へ受け入れた後続の遊技球が当該第２載置遊技球上に落下してきた場合には当該後続の遊技球を直ちに前記契機領域へ案内するようにし、
前記下支え案内部材駆動手段が作動し、前記案内面が前記案内位置より下方の高さ位置となる排出案内位置で下支えする時には、前記受入口から前記遊技球流入空間へ受け入れた遊技球、並びに、前記案内位置で下支えした時に発生した前記第１載置遊技球及び前記第２載置遊技球を前記遊技球流入空間から排出し前記契機領域より下方に設けられた前記非契機領域へ案内するようにしたことを特徴とする遊技機。
【請求項２】
前記下支え案内部材は、
前記遊技盤に平行な面上を回転する回転体からなり、
前記案内位置での案内面（以下、検出案内面）と前記排出案内位置での案内面（以下、排出案内面）とがそれぞれ、前記回転体の周面に設けられるとともに、
前記検出案内面は、前記契機領域から前記カバー部材側へ向けての下り傾斜に形成され、前記排出案内面は、前記カバー部材側から前記非契機領域側へ向けての下り傾斜に形成されていることを特徴とする請求項１に記載の遊技機。
【請求項３】
前記回転体は、
前記非特別期間中で前記可動側壁部が常態位置にある旨を明示する非特別期間明示手段を備えることを特徴とする請求項１乃至請求項２に記載の遊技機。
【発明の詳細な説明】
【技術分野】
【０００１】
本発明は、パチンコ機等の遊技球を用いて遊技を行う遊技機に関し、詳しくは、遊技球を発射する発射装置と、該発射装置によって発射された遊技球が流下する遊技領域と、該遊技領域に設けられ、遊技の進行に関連付けられた電動装置と、遊技球が通過することが前記電動装置の作動開始契機としての役割が付与されている契機領域と作動開始契機としての役割が付与されていない非契機領域と、遊技球を受け入れる受入口を備え、該受入口から受け入れた遊技球を契機領域或いは非契機領域のいずれかに振り分ける振り分け装置と、前記契機領域に振り分けられた遊技球を検出する遊技球検出手段と、該遊技球検出手段からの検出信号に基づいて前記電動装置の作動制御を開始する作動制御手段とを備えた遊技機に関するものである。
【背景技術】
【０００２】
遊技球を用いて遊技を行うパチンコ機等の遊技機においては、例えば、回転体の球受け凹部に遊技球が受け入れられていると、後続の遊技球を所定の領域に振り分けるような振り分け装置を備えた遊技機が知られている（例えば、特許文献１）。
【０００３】
また、後続の遊技球を先行した遊技球とは異なる領域へ振り分ける振り分け装置を備えた遊技機も知られている（例えば、特許文献２）。
【０００４】
【特許文献１】特開２００１−２１８９０２
【特許文献２】特開平０７−１００２４７
【発明の開示】
【発明が解決しようとする課題】
【０００５】
ところで、上記特許文献１に記載された遊技機においては、振り分け装置に受け入れられた順位に関して、先行する遊技球が振り分け装置の球受け凹部に取り込まれ、その後の後続球を、球受け凹部に取り込まれた遊技球とは別の領域に振り分けるようにしている。しかし、球受け凹部に取り込まれた遊技球にのみ重きが置かれ、後続の遊技球については折角流入してきたにも関わらず余分なものとの扱いがされ、これにより後続球の発生に係る興趣が著しく損なわれ且つ受け入れ順位に対する興趣の向上も期待できなかった。
【０００６】
また、上記特許文献２に記載された遊技機においては、１個目、２個目、３個目、４個目以降というように、遊技球が流入した順番に応じて異なる振り分け先が設けられているが、特定の領域へ振り分けられる個数目が常に３個目に固定されており、それ未満の受け入れ順位の遊技球に対してはなんらの期待感を抱くことも出来ず、変化に欠けるものであった。
【０００７】
本発明は、上記問題点を解決するためになされたものであり、その目的は、受け入れた遊技球を契機領域あるいは非契機領域のいずれかに振り分ける振り分け機構の構成として、受け入れた遊技球の遊技球流入空間の大きさを変化させることによって、契機領域への流入期待度の高い受け入れ順位を変化させて新たな興趣を生み出すことができる遊技機を提供することを目的とする。
【課題を解決するための手段】
【０００８】
上記した目的を達成するために、請求項１の発明においては、遊技球を発射する発射装置と、該発射装置によって発射された遊技球が打ち込まれる遊技領域と、該遊技領域に設けられ遊技の進行に関連付けられた電動装置（演出表示装置３１、特別図柄表示部３２）と、遊技球が通過することが前記電動装置の作動開始契機としての役割が付与されている契機領域（作動契機領域７０）と作動開始契機としての役割が付与されていない非契機領域（非作動領域７１）と、遊技球を受け入れる受入口（受入口５３）を備え、該受入口から受け入れた遊技球を契機領域或いは非契機領域のいずれかに振り分ける振り分け装置（振り分け装置５０）と、前記契機領域に振り分けられた遊技球を検出する遊技球検出手段（検出スイッチ３７）と、該遊技球検出手段からの検出信号に基づいて前記電動装置の作動制御を開始する作動制御手段（主制御基板に搭載されたＣＰＵの作動制御機能）と、を備えた遊技機（パチンコ機本体１）であって、前記振り分け装置は、前記受入口から受け入れた遊技球が流入し、且つ後方位置で前記契機領域と連通する遊技球流入空間（遊技球流入空間６２）を備え、該遊技球流入空間は、遊技球を載置可能であって当該載置された遊技球の所定方向への案内作用を有する案内面（下支え案内面６６、排出案内面６７）が形成され、前記受入口の下方位置であって所定高さ位置となる案内位置で前記流入した遊技球を下支えする下支え案内部材（回転体６５）と、前記下支え案内部材の前方を覆い、前記流入した遊技球の前方への転動を規制するカバー部材（透明カバー５４）と、前記流入した遊技球が１個だけ落下可能な間隔で設けられ、前記下支え案内部材に下支えされた遊技球の左右方向への転動を規制する側壁部（固定側壁（左）５７ａ、固定側壁（右）５７ｂ）と、を備え、該側壁部は、所定の非特別期間が終了して所定の特別期間が到来すると常態位置から左右方向に変位し移動位置に状態変化して前記下支えされた遊技球を少なくとも１個退避可能な退避空間（第３の空間６１）を付加形成する可動側壁部（可動側壁５８）を備え、前記振り分け装置は、前記下支え案内部材の案内面の高さ位置を所定の周期性（例えば１回転、若しくは１２回転）を持たせて変化させる下支え案内部材駆動手段（ステッピングモータ５６）を更に備え、前記遊技球流入空間において、前記下支え案内部材駆動手段が作動し、前記案内面が所定の高さ位置となる案内位置で下支えし且つ前記非特別期間中で前記可動側壁部が常態位置にある時には、前記受入口から前記遊技球流入空間へ受け入れた遊技球を、前記契機領域へは案内せずに前記案内面上に載置したままの第１載置遊技球（載置遊技球Ｐ１）として前記遊技球流入空間（第２の空間６０）に保留して、前記受入口から前記遊技球流入空間へ受け入れた後続の遊技球（後続の遊技球Ｐ２）が当該第１載置遊技球上に落下してきた場合には当該後続の遊技球を直ちに前記契機領域へ案内するようにし、前記下支え案内部材駆動手段が作動し、前記案内面が前記案内位置で下支えし且つ前記非特別期間が終了して前記特別期間中で前記可動側壁部が移動位置にある時には、前記第１載置遊技球を前記退避空間に退避させ、続いて前記受入口から前記遊技球流入空間へ受け入れた遊技球を、前記契機領域へは案内せずに前記案内面上に載置したままの第２載置遊技球として前記遊技球流入空間に保留して、前記受入口から前記遊技球流入空間へ受け入れた後続の遊技球が当該第２載置遊技球上に落下してきた場合には当該後続の遊技球を直ちに前記契機領域へ案内するようにし、前記下支え案内部材駆動手段が作動し、前記案内面が前記案内位置より下方の高さ位置となる排出案内位置で下支えする時には、前記受入口から前記遊技球流入空間へ受け入れた遊技球、並びに、前記案内位置で下支えした時に発生した前記第１載置遊技球及び前記第２載置遊技球を前記遊技球流入空間から排出し前記契機領域より下方に設けられた前記非契機領域へ案内するようにしたことを特徴とする。
【０００９】
また、請求項２の発明においては、前記下支え案内部材は、前記遊技盤に平行な面上を回転する回転体からなり、前記案内位置での案内面（以下、検出案内面）（下支え案内面６６）と前記排出案内位置での案内面（以下、排出案内面）（排出案内面６７）とがそれぞれ、前記回転体の周面に設けられるとともに、前記検出案内面は、前記契機領域から前記カバー部材側へ向けての下り傾斜に形成され、前記排出案内面は、前記カバー部材側から前記非契機領域側へ向けての下り傾斜に形成されていることを特徴とする。
【００１０】
また、請求項３の発明においては、前記回転体は、前記非特別期間中で前記可動側壁部が常態位置にある旨を明示する非特別期間明示手段（標識６８）を備えることを特徴とする。
【発明の効果】
【００１１】
請求項１に係る発明においては、下支え案内部材が案内位置に位置し且つ非特別期間中の場合、振り分け装置の遊技球流入空間へ受け入れた最初の遊技球を第１載置遊技球として次に受け入れた遊技球を直ちに契機領域に案内し、下支え案内部材が案内位置に位置し且つ特別期間中の場合、可動側壁部の変位に伴い退避空間が遊技球流入空間に付加形成され、第１載置遊技球を退避空間に退避させ、次いで受け入れられた遊技球は第２載置遊技球として遊技球流入空間に載置して、第３番目に受け入れた遊技球を直ちに契機領域に案内するようにした。これにより、非特別期間と特別期間において、振り分け装置に受け入れられて契機領域へ案内される遊技球の受け入れ順位が変化するため、契機領域への流入が期待できる受け入れ順位が固定的ではなくなり、遊技の興趣が著しく向上する。
【００１２】
また、非特別期間中の場合は、振り分け装置の遊技球流入空間へ第２番目に受け入れた遊技球を直ちに契機領域に案内し、特別期間中の場合は、第３番目に受け入れた遊技球を直ちに契機領域に案内するようにした。これにより、振り分け装置への受け入れ順位に関して、最初に受け入れた遊技球以外の後続球が契機領域へ流入する期待度が高まることで、遊技者の後続球への関心が高まるとともに、契機領域への流入が期待できる遊技球の受け入れ順位が変化するので、遊技のバリエーションが広がり、引いては遊技の興趣が著しく向上する。
【００１３】
また、下支え案内部材が案内位置と排出案内位置とに変位することで、振り分け装置に受け入れた遊技球が契機領域へ振り分けられる場合と非契機領域へ振り分けられる場合とに変化するため、遊技の幅が広がり興趣が向上する。
【００１４】
また、遊技球流入空間を形成する側壁部の可動側壁部が左右方向に変位して移動位置に状態変化することで、遊技球を１個退避可能な退避空間を付加形成するため、固定的な退避空間を設ける必要がない。
【００１５】
また、付加形成された退避空間は、遊技球流入空間に隣接して形成されるとともに、該遊技球流入空間に連通して設けられているので、該遊技球流入空間に載置されていた遊技球が容易且つ速やかに退避可能となる。これにより、特別期間及び非特別期間の切り替えが速やかに実行でき、スピーディーな遊技進行が可能となる。
【００１６】
また、退避空間を遊技球１個が退避可能な大きさに形成することにより、特別期間及び非特別期間の切り替えによって、契機領域への流入が期待できる遊技球の受け入れ順位が、確実に１個単位で変化させることが可能となる。
【００１７】
請求項２に係る発明においては、下支え案内部材を、遊技盤に平行な面上を回転する回転体で構成し、該回転体の周面に検出案内面と排出案内面を設けたことにより、案内位置と排出案内位置との状態変化をスムーズに行うことが出来る。
【００１８】
また、回転体を回転することで、必然的に検出案内面と排出案内面が交互に出現するため、案内位置と排出案内位置との状態変化を実行するための特別な制御が不要となる。
【００１９】
また、検出案内面が契機領域からカバー部材側へ向けての下り傾斜に形成されることにより、検出案内面上に載置された第１載置遊技球或いは第２載置遊技球の契機領域への流入を防止し、且つ次に受け入れた遊技球を契機領域方向へ確実にアシストさせることが可能となる。
【００２０】
さらに、排出案内面がカバー部材側から非契機領域側へ向けての下り傾斜に形成されることにより、契機領域及び非契機領域への遊技球の流入が速やかに行われ、回転体の回転速度を高く設定することも可能となる。
【００２１】
請求項３に係る発明においては、非特別期間中で可動側壁部が常態位置にある旨を明示する非特別期間明示手段を回転体に備えたことにより、可動側壁部が常態位置にあるか否か、すなわち何個目の受け入れ順位にある遊技球が契機領域への流入を期待できるか、という点について、遊技者は容易に認識出来るようになる。
【００２２】
さらに、遊技球流入空間の構成要素である周面を備えた回転体に、非特別期間明示手段を備えたことにより、何個目の遊技球が受け入れられたかについて、遊技者は遊技球流入空間注視しつつ近接した回転体の非特別期間明示手段によって可動側壁部が常態位置にあるか否かを容易に認識可能となる。これにより、受け入れ順位の確認と可動側壁部の状態確認が一時に行え、煩雑な確認作業が不要となる。
【発明を実施するための最良の形態】
【００２３】
以下、本発明におけるいくつかの実施形態について、図面を参照して説明する。
【実施例１】
【００２４】
図１は遊技球を用いて遊技する遊技機の一例としてのパチンコ機１を示す概略正面図である。但し、図１では便宜上、図２で示す遊技盤面上に形成された遊技領域内の構成を空白で示している。
【００２５】
パチンコ機１は、縦長の長方形に形成された外枠２と、外枠２に対して開閉可能に取り付けられる内枠３とから構成される。さらに内枠３は複層で構成され、前面側の構成として、ガラスパネル４と球皿パネル５とを上下に備え、背面側の構成として図示しない遊技盤収納枠、及び、同じく図示しないが遊技球の払い出しに係る機構部品等が取り付けられた機構板を備えている。
【００２６】
ガラスパネル４は、略楕円形の開口窓部６が形成されており、開口窓部６の背面には着脱自在に２枚のガラスが取り付けられている。また、開口窓部６の周囲は合成樹脂製の装飾部７で囲まれ、装飾部７の内部には演出ＬＥＤやスピーカ８が配置されている。球皿パネル５の中央には発射される遊技球を貯留する球皿９が設けられており、右下位置には遊技球を発射する発射装置（図示しない）の発射力を調整するための発射ハンドル１０が設けられている。
【００２７】
図２は、遊技盤面２０に形成された遊技領域３０内に配置される構成物の一例を示す概略正面図である。遊技盤面２０に形成され且つ発射装置によって発射された遊技球が打ち込まれる遊技領域３０には、遊技制御上重要な役割を担う演出表示装置３１（電動装置）、特別図柄表示部３２、特別図柄保留ＬＥＤ３３、風車３４、一般入賞口３５，３６、大入賞口４０等のほかに、図示はしないが多数の遊技釘が植設され、遊技球の流下方向に影響を及ぼしている。そして、受入口５３（受入口）が一般入賞口３６を兼ねる振り分け装置５０（振り分け装置）も設けられており、受け入れた遊技球は特別図柄表示部３２（電動装置）を作動するか否かを決定する、作動契機領域７０（契機領域）と非作動領域７１（非契機領域）とに振り分けることになるが、その詳細については後述する。なお、本実施例においては、特別図柄表示部３２及び演出表示装置３１を本発明の電動装置とした例を示したが、これに限定する必要はない。したがって、遊技領域に設けられて遊技の進行に関連付けられた電動装置であれば、他の装置でもよい。
【００２８】
本実施例における大まかな遊技の流れを説明する。遊技球が一般入賞口３６としての受入口５３へ入賞し、作動契機領域７０へ振り分けられると、図３に示す検出スイッチ３７（遊技球検出手段）で検出され、該検出に基づいて特別図柄表示部３２が作動を開始し、演出表示装置３１における演出表示も同期して変動を開始する。そして、作動契機領域７０通過に基づく大当たり判定の判定結果に対応して決定された変動時間（例えば１５秒間）が経過すると、特別図柄表示部３２の作動が停止して大当たり判定の判定結果に対応した停止図柄が停止表示され、且つ演出表示装置３１では大当たり判定の判定結果に対応した演出が停止表示される。
【００２９】
本実施例における大当たり判定は、遊技球が作動契機領域７０を通過して、検出スイッチ３７に検出された時に抽出された大当たりカウンタの値が、予め定められた大当たり値と等しいか否かで判定される。そして大当たりカウンタの取り得る範囲「０」〜「２９」に対して大当たり値が「７」であるため、大当たりが得られる確率は１／３０となる。大当たりの場合及びハズレの場合であって、且つ１／１０の確率でリーチを行うと判定された場合には、リーチ変動表示が可能な変動時間が選択され、当該変動時間に対応した変動態様と停止図柄が決定される。リーチを行わない場合の変動時間は先述したように１５秒間で、リーチが行われる場合の変動時間は６０〜９０秒間が選択され、夫々に対応するリーチ態様に決定される。このリーチは演出表示装置３１における演出であって、当該演出における結果は、特別図柄表示部３２の停止図柄を表示するタイミングと同期するように停止表示される。すなわち、演出表示装置３１と特別図柄表示部３２が、本発明の電動装置である。そして、本実施例では、検出スイッチ３７からの検出信号に基づいて演出表示装置３１と特別図柄表示部３２の作動を制御する作動制御手段としてのＣＰＵを搭載した主制御基板（図示しない）を備える。
【００３０】
特別図柄表示部３２の停止図柄として大当たり図柄が表示されると、大当たり遊技状態に移行する。大当たり遊技状態に移行すると、大入賞口４０が開口し、閉口条件（１０個の遊技球が入賞するか、或いは開放後３０秒間が経過するかのいずれか）の成立に基づいて一旦閉口される。この開口から閉口条件が成立するまでの１回の開放作動を１ラウンドとして、一旦閉口後、所定時間のインターバル時間をおいて６回繰り返されることで、本実施例の大当たり遊技状態は６ラウンドの開放作動によって構成される。
【００３１】
特別図柄表示部３２が作動中若しくは大当たり遊技状態中に遊技球が作動契機領域７０を通過した場合は、４回を上限として特別図柄表示部３２の作動が保留され、保留された回数は特別図柄保留ＬＥＤ３３の点灯数で表示する。
【００３２】
次に振り分け装置５０について図３（ａ）、（ｂ）、（ｃ）、（ｄ）を参照して説明する。図３（ａ）は振り分け装置５０の概略正面図であり、図３（ｂ）は受入口５３の周辺構成を説明する概略拡大図であり、図３（ｃ）は振り分け装置５０の概略断面図であり、図３（ｄ）は下支え案内面６６の拡大断面図である。
【００３３】
図３（ａ）、（ｃ）に示すように、振り分け装置５０は、取付ベース５１に対して前方に突出した周壁５２が設けられており、遊技球が唯一流入可能となる上部の受入口５３を除いては周壁５２が取り囲み、前方を覆う透明カバー５４（カバー部材）と協働して空間が形成されている。該空間内には、回転体６５（下支え案内部材）が遊技盤と平行面上を回転可能に設けられており、取付ベース５１の裏面側に設けられたモータ取付板５５には、回転体６５の駆動源であるステッピングモータ５６（下支え案内部材駆動手段）が取り付けられている。
【００３４】
このステッピングモータ５６は、例えば、１２０ステップで１回転するよう設定されているため、ステップ角は３．０゜となる。すなわち、１００ｍｓで１ステップ回転するので、１回転の所要時間は１２．０秒となり、１分間では５．０回転する。なお、ステッピングモータ５６に対する回転体６５の組み付けに係る角度位置は、後述する図５（ａ）に示すように、排出案内面６７の終了端部（図示左側端部）が、遊技球流入空間６２の左右方向の中央位置からやや右側の固定側壁５７ｂに寄った位置を、回転制御を行う際の基準位置となるように設定されている。なお、本実施例のステッピングモータ６５は、回転体６５を遊技者の側すなわち前方から視て時計回りの回転方向に回転させるよう構成されるものである。
【００３５】
周壁５２の開口部にあたる受入口５３の下方には、取付ベース５１と透明カバー５４によって前後幅が規定され、かつ、左右の固定側壁５７ａ、５７ｂによって遊技球１個が落下可能な第１の空間５９と、該第１の空間５９に連続した空間であって、第１の空間５９と同じ前後幅に規定され、かつ、左の固定側壁５７ａと可動側壁５８とによって左右幅が規定されて、常態では遊技球１個が落下可能であって、後述するように可動側壁５８が移動すると遊技球２個が横並び可能となる第２の空間６０とが設けられており、第１の空間５９と第２の空間６０とによって遊技球流入空間６２が構成されている。当該遊技球流入空間６２の背面側には、作動契機領域７０の球入口７０ａが開設されている。
【００３６】
なお本実施例では、周壁５２の欠損部にあたる受入口５３が一般入賞口３６としての役割を担っているが、受入口５３の上方に遊技釘を植設し、当該遊技釘間を一般入賞口３６とするようにしても良い。
【００３７】
遊技球流入空間６２の下方（第２の空間６０の下方）には、本実施例において常時５．００ｒｐｍで回転する回転体６５が臨んでおり、その周面には遊技球を載置可能な下支え案内面６６（案内面、検出案内面）と排出案内面６７（案内面、排出案内面）が形成されている。下支え案内面６６は、図３（ｄ）で示すように、下支え案内面後端部６６１より下支え案内面前端部６６２の径寸法が小さくなっており、下支え案内面６６が遊技球流入空間６２の下方にあって、第２の空間６０の下端位置を規定している場合に遊技球が受入口５３より受け入れられると、はじめに流入した遊技球は下支え案内面６６上で下支え案内面前端部６６２に寄った位置、即ち透明カバー５４に当接した状態で一時保留され、載置遊技球Ｐ１となる。また、下支え案内面６６上には、下支え案内面前端部６６２が下支え案内面後端部６６１より低くなるように段差が設けられている。さらに、排出案内面６７は、透明カバー５４側すなわち前方から、先述した非作動領域７１側すなわち後方に向かって下り傾斜して形成（図４参照）されている。なお、上記した下支え案内面６６並びに排出案内面６７の形状に関する説明は、それぞれの案内面が遊技球流入空間６２の直下に位置する状態であることを条件とした説明である。
【００３８】
載置遊技球Ｐ１が存在する状態下で後続の遊技球Ｐ２が受入口５３より受け入れられると、載置遊技球Ｐ１が透明カバー５４側に寄った位置におり、後続の遊技球Ｐ２と接触するときには、載置遊技球Ｐ１と後続の遊技球Ｐ２の球芯がずれているため、後続の遊技球Ｐ２は落下方向を変えて作動契機領域７０に流入することになる。このため、遊技球流入空間６２の下端位置を下支え案内面６６が規定している間は、最初に受け入れられた遊技球は作動契機領域７０に案内されずに後続の遊技球Ｐ２が作動契機領域７０に流入することをアシストする載置遊技球Ｐ１となるが、２球目以降の遊技球すべてが作動契機領域７０に案内される。
【００３９】
載置遊技球Ｐ１を下支えしていた下支え案内面６６が、回転体６５の回転により遊技球流入空間６２の下方から離隔すると、回転体６５に凹型の周面として形成された排出案内面６７上を転動し、非作動領域７１に流入する。排出案内面６７が遊技球流入空間６２の下方にある場合には、受入口５３より受け入れられた遊技球も遊技球流入空間６２を経てから直接に排出案内面６７上に案内され、排出案内面６７の背部に球入口が臨むように設けられた非作動領域７１に流入する。（図７（ｂ）参照）
【００４０】
回転体６５の構成について、図４を参照して説明する。図４は、回転体６５の構成を説明する概略正面図である。
【００４１】
回転体６５の下支え案内面６６（図示（○）及び（△））は回転角度にして（１０５°＋１８０°）＝２８５゜に亘って形成され、排出案内面６７（図示（×））は回転角度にして７５゜に亘って形成されている。これにより、遊技球流入空間６２の下方において、下支え案内面６６が出現している時間は、０．１０ｓｅｃ×（２８５°／３．０°）＝９．５秒間、排出案内面６７が出現している時間は、０．１０ｓｅｃ×（７５°／３．０°）＝２．５秒間となる。
【００４２】
下支え案内面６６は、上記したように図示（○）の領域と図示（△）の領域によって構成される。図示（○）の領域は、当該領域が遊技球流入空間６２の下方に出現したときに、可動側壁５８が図５（ａ）、（ｂ）に示すように受入口５３に受け入れた遊技球が１個だけ落下可能な位置すなわち常態位置にある領域を示す。図示（△）の領域は、当該領域が遊技球流入空間６２の下方に出現したときに、可動側壁５８が図６（ａ）及び図７（ａ）に示すように常態位置から左右方向（右方向）に変位して、遊技球を少なくとも１個退避可能な退避空間としての第３の空間６１を付加形成する移動位置にある領域を示す。
【００４３】
排出案内面６７は、上記したように図示（×）の領域によって構成される。図示（×）の領域は、当該領域が遊技球流入空間６２の下方に出現したときに、可動側壁５８が図７（ｂ）に示すように受入口５３に受け入れた遊技球が１個だけ落下可能な位置すなわち常態位置に復帰する領域を示す。
【００４４】
回転体６５の前面側すなわち透明カバー５４を介して遊技者に視認可能な側には、下支え案内面６６の図示（○）の領域に対応して、標識６８が施されている。標識６８は、回転体６５の回転する期間のうち、可動側壁５８が位置移動をしない期間を遊技者に認識させるように構成されている。この標識６８は回転体６５の排出案内面６７の終了端に対応した回転体６５の前面側位置から、回転角度にして１０５゜の角度範囲に施されており、ステッピングモータ５６のステップ角は３．０゜、１００ｍｓで１ステップであることから、当該標識６８が回転体６５の周囲の所定の観測位置（例えば、遊技者に視認可能な遊技球流入空間６２の下方位置）を通過する期間は３．５秒間となる。
【００４５】
本願においては、可動側壁５８の位置が移動することによって第２の空間６０に載置される遊技球の球数が変化し、それに伴って作動契機領域７０に案内されることとなる遊技球の受け入れ順（受入口５３への流入順）が変化するものである。以下、当該受け入れ順の変化について、図５、図６、図７を参照して説明する。
【００４６】
図５（ａ）は、回転体６５の取り付け基準位置にある状態を示す説明図である。図５（ｂ）は、可動側壁５８が常態位置にある状態を示す説明図である。先ず、図５（ａ）に示すように本実施例の所定の周期である回転体６５の１回転の基準位置において、可動側壁５８は常態位置に位置しており、遊技球流入空間６２の下方には下支え案内面６６が出現するよう設けられている。当該状態では、受入口５３から受け入れた第１番目の遊技球は、載置遊技球Ｐ１として下支え案内面６６上に載置され作動契機領域７０には案内されない。載置遊技球Ｐ１が載置された状態において、第２番目の遊技球が受け入れられると、当該遊技球は、載置遊技球Ｐ１の作用により作動契機領域７０にアシストされる。すなわち、可動側壁５８が常態位置にある状態では、受入口５３への第２番目以降の順位で受け入れられた遊技球が作動契機領域７０に案内される。
【００４７】
次いで、図５（ｂ）に示すように、上記した基準位置からおよそ４５°回転した状態では、未だ可動側壁５８は常態位置に位置している。すなわち、当該状態では図５（ａ）と同様に受入口５３への第２番目以降の順位で受け入れられた遊技球が作動契機領域７０に案内される。なお、上述したように、当該状態すなわち基準位置から１０５°の範囲（図４に示す（○））には、作動契機領域７０への流入の期待度が高い、すなわち第２番目以降の順位で受け入れられた遊技球が作動契機領域７０に案内される比較的に難易度の低いチャンス状態（非特別期間）にあることを、遊技者に示唆する標識６８が遊技球流入空間６２の直下位置に位置して明示するものである。
【００４８】
図６（ａ）は、可動側壁５８が移動位置にある状態を示す説明図である。図６（ｂ）は、可動側壁５８が移動位置にある状態を示す拡大説明図である。図６（ａ）に示すように、図５（ｂ）の角度位置から時計回り方向に回転して、遊技球流入空間６２の下方に標識６８の終了端部が出現する角度位置となると、可動側壁５８は常態位置から左右方向（右方向）に向かって変位して移動位置に位置する。可動側壁５８が移動位置に状態変化することにより、図６（ｂ）に示すように第３の空間６１が第２の空間６０の右側方に隣接して付加形成される。
【００４９】
第３の空間６１と第２の空間６０とは、遊技球が第２の空間６０から第３の空間６１へと流入可能に連通して形成されるものである。本実施例では、第２の空間６０と第３の空間６１の下方に位置するとともに載置遊技球Ｐ１が載置される下支え案内面６６が回転体６５の頂部から右斜め下方に向けての下り傾斜となっているため、遊技球が第２の空間６０から第３の空間６１へと速やかに流入可能となっている。
【００５０】
第３の空間６１の付加形成に伴う遊技球の動きについて詳述する。載置遊技球Ｐ１は、該載置遊技球Ｐ１を載置（接触）する回転体６５の回転に反して、可動側壁５８によって押しとどめられた状態にある。このため可動側壁５８が常態位置から移動位置に変位すると、載置遊技球Ｐ１は回転する回転体６５との摩擦及び、右下方に向けて下り傾斜曲面に形成される下支え案内面６６の作用により、可動側壁５８の後を追うように右側下方に移動し、付加形成された第３の空間６１に位置することとなる。これにより、載置遊技球Ｐ１が移動した後には、可動側壁５８が移動前にあった第２の空間６０とほぼ等しい大きさの空間が残される。このため、後続の遊技球Ｐ２は作動契機領域７０へは案内されず下支え案内面６６上で載置遊技球Ｐ２として一時保留される。
【００５１】
更に詳述すると、回転体６５が上述した基準位置から１０５゜回転すると、振り分け装置５０の裏面側に設けられたソレノイド（図示しない）が作動する。当該作動によって可動側壁５８が、固定側壁５７ｂと連続した側壁面を形成する位置（常態位置）から、第２の空間６０及び第３の空間６１に遊技球２個が横並びに載置可能となる位置（移動位置）に移動する。この際、先述したように回転体６５の回転に伴う標識６８の最後尾は、遊技球流入空間６２の下方位置を通過することにより、遊技者に可動側壁５８が位置移動を開始する時期の到来を認識させるよう構成されている。
【００５２】
可動側壁５８が移動位置にある状態では、上記したように第３の空間６１が付加形成されるが、該第３の空間６１には遊技球が少なくとも1個退避可能となるように構成されている。これにより、既に受け入れられていた載置遊技球Ｐ１は、第３の空間６１に退避し、次いで２番目に受け入れられた遊技球は、第２の空間６０に後続の遊技球Ｐ２として載置され、次いで３番目以降に受け入れられた遊技球は３番目以降の後続の遊技球Ｐ３として後続の遊技球Ｐ２によって作動契機領域７０にアシストされる。すなわち、図６（ａ）に図示する状態から１８０°の範囲（図４に示す（△））は、作動契機領域７０への流入の期待度が上述した非特別期間よりも低い特別期間にある。つまり、作動契機領域７０への流入の期待度が高い受け入れ順位は、非特別期間では２個目以降であったが、特別期間では３個目以降に変化する。
【００５３】
図７（ａ）は、可動側壁５８が移動位置にある状態を示す説明図である。図７（ｂ）は、可動側壁５８が常態位置にある状態を示す説明図である。図７（ａ）は、図６（ａ）に示す状態と同様の特別期間にあって、図６（ａ）に示す回転角度位置から更におよそ９０°回転した状態（特別期間（△））を示す。当該状態においても、作動契機領域７０への流入の期待度が高い受け入れ順位は、３個目以降である。
【００５４】
図７（ｂ）は、遊技球流入空間６２の下方に排出案内面６７が出現し、可動側壁５８が常態位置に復帰した状態を示している。当該状態において、受入口５３から受け入れた遊技球若しくは上述した特別期間中に載置されていた載置遊技球Ｐ１及び後続の遊技球Ｐ２は、排出案内面６７に流下して後方へ下り傾斜した面上を後方へ転動して非作動領域７１（非契機領域）へ流入する。このように作動契機領域７０への流入の期待度がない、すなわち受け入れた遊技球をすべて非作動領域７１に流入させる７５°（図４参照）の角度範囲にある状態（図４に示す（×））が終了すると、図５（ａ）に示した基準位置に復帰する。このように、本実施例では、回転体６５が１回転する間に、作動契機領域７０への流入の期待度が高い受け入れ順位が、２個目以降、３個目以降、期待度無し、と変化し、各回転毎にこの変化パターンを反復継続するものある。
【００５５】
さらに、先述したように、本発明における下支え案内部材としての回転体６５が、断面異形状に形成されているため、回転に伴って遊技球流入空間６２の下方位置に下支え案内面６６が出現したり排出案内面６７が出現することで所定の高さ位置から前記所定の高さ位置とは異なる高さ位置に変化するよう構成されている。
【００５６】
なお、本実施例における所定の周期とは、下支え案内部材としての回転体６５の１回転である。すなわち、回転体６５が等速回転することにより、案内面の高さの変化するパターンは１回転毎に完結し、これを反復継続するものである。
【００５７】
さらに、本実施例の受入口５３は、入口が開放又は拡開するものではないため、遊技球が入賞する度合いに極端な変化はない。仮に、１分間に１００個の遊技球が発射される中で受入口５３の１分間当たりの入賞数を１５個とするならば、４秒に１個、概ね７個発射されると１個の割合で入賞して遊技球流入空間６２に落下してくる。可動側壁５８が常態位置にある期間が３．５秒間であるため、かなりの確率で下支え案内面６６上に載置遊技球Ｐ１が確保されるものの、後続の遊技球が遊技球流入空間６２に流入して作動契機領域７０に案内されることは少ないが、可動側壁５８が常態位置から移動位置に移動すると、載置遊技球Ｐ１は場所を変えながらも引き続き下支え案内面６６上に止まるので、新たに２個の遊技球が受入口５３に入賞すれば作動契機領域７０を通過する遊技球が発生することになる。１分間に１５個が受入口５３に入賞するがそのうち作動契機領域７０を通過するであろう遊技球数の期待値は概ね１分間に２個程度となり、それが特別図柄表示部３２の変動回数となるので、振り分け装置５０に着目する状態と演出表示装置の演出に着目する状態がほどほどにバランスが取れるように設定されている。
【実施例２】
【００５８】
次に、本発明の他の実施例として、後に図８を参照して実施例２を説明する。尚、本実施例と実施例１との差異は、制御上の構成に限定されるので、同様の構成に関しては同じ符号を記載するものとする。
【００５９】
先ず上述した実施例１では、回転体６５は等速回転で制御した。しかし、本実施例では回転体６５を予め定められたパターンではあっても、複数回（例えば１２回転）の回転の中で回転速度の変更が行われるようにした。このように構成することにより、回転体６５の基準位置からの回転量に基づいて移動開始契機が設定されている可動側壁５８の移動タイミングを変化させ、２個目以降の遊技球を作動契機領域７０へ案内する期間、或いは３個目以降の遊技球を作動契機領域７０へ案内する期間の長さを変化させ、作動契機領域７０を遊技球が通過することの難易度を変化させることが出来る。回転体６５の回転速度が変わったとしても、２個目以降の遊技球が作動契機領域７０へ案内される期間については、遊技球流入空間６２の下方に標識６８が存在するか否かで明瞭に知覚できる。すなわち、本実施例における所定の周期とは、回転体６５の複数回（例えば１２回）の回転において回転速度が変化する、比較的長時間のスパンで設定された変更パターンを示唆するものである。そして、本実施例は当該変更パターンを反復継続して実行するものである。
【００６０】
回転体６５の回転速度の変更パターンの１例を後述する図８に示した。なお、本実施例の変更パターンは、回転の基準位置から開始されるものである。したがって、電源が投入された時には回転体の停止位置がばらついているので、電源投入後にステッピングモータ５６を適当な速度で回転させて基準位置の確認ができたところから上述の変更パターンに基づいて回転制御がされるように構成されるものである。
【００６１】
更に、本実施例では回転速度として速度の速い順に６．２５ｒｐｍ、５．００ｒｐｍ、４．００ｒｐｍの３段階が用意されている。それぞれの速度における回転体６５の１回転に要する時間は、９．６秒、１２．０秒、１５．０秒となるが、３種類の案内状態の異なる時間は、まずは、可動側壁５８が常態位置にあって下支え案内面６６で下支えしている期間は、２．８秒、３．５秒、４．３７５秒である。可動側壁５８が移動位置にあって下支え案内面６６で下支えしている期間は、４．８秒、６．０秒、７．５秒となるので、遊技球流入空間６２の下方で下支え案内面６６が下支えしている期間は合計で、７．６秒、９．５秒、１１．８７５秒となる。遊技球流入空間６２の下方に排出案内面６７が臨み、遊技球を非作動領域７１へ案内する期間は２．０秒、２．５秒、３．１２５秒となる。
【００６２】
図８を参照して本実施例における回転体６５の回転速度の変更パターンを説明する。図８（ａ）は、本実施例における回転体６５の回転速度の変更パターン（１回転目から６回転目）を説明する概略タイムチャートであり、図８（ｂ）は、本実施例における回転体６５の回転速度の変更パターン（７回転目から１２回転目）を説明する概略タイムチャートである。
【００６３】
図８（ａ）に示すように、上述した予め決められた３種類（６．２５ｒｐｍ、５．００ｒｐｍ、４．００ｒｐｍ）の回転速度が設定されている。さらに時間の経過に伴って左から右に向かって、回転体６５の状態を示す記号として非特別期間を（○）、特別期間を（△）、受け入れた遊技球を非作動領域へ排出する期間（以下、排出期間）を（×）として付した（図４参照）。
【００６４】
先ず、基準位置から１，２回転が終了するまでは５．００ｒｐｍで制御される。次いで、３回転目の非特別期間は４．００ｒｐｍに下降し、特別期間は５．００ｒｐｍに上昇したのち途中で６．２５ｒｐｍに更に上昇し、排出期間は５．００ｒｐｍに下降する。４回転目の非特別期間は４．００ｒｐｍに下降し、特別期間は５．００ｒｐｍに上昇したのち途中で６．２５ｒｐｍに更に上昇し、排出期間は５．００ｒｐｍに下降する。５回転目の非特別期間は５．００ｒｐｍを維持し、特別期間は４．００ｒｐｍに下降したのち途中で６．２５ｒｐｍに上昇し、排出期間は５．００ｒｐｍに下降する。６回転目の非特別期間は５．００ｒｐｍを維持し、特別期間も５．００ｒｐｍを維持したのち途中で４．００ｒｐｍに下降し、排出期間は６．２５ｒｐｍに上昇する。
【００６５】
次いで、図８（ｂ）に示すように、７回転目の非特別期間は５．００ｒｐｍに下降し、そのまま８回転目が終了するまで維持する。９回転目の非特別期間は５．００ｒｐｍを維持し、特別期間は６．２５ｒｐｍに上昇したのち途中で４．００ｒｐｍに下降し、排出期間は５．００ｒｐｍに上昇する。１０回転目の非特別期間は５．００ｒｐｍを維持し、特別期間は６．２５ｒｐｍに上昇したのち途中で４．００ｒｐｍに下降し、排出期間は５．００ｒｐｍに上昇する。１１回転目の非特別期間は６．２５ｒｐｍに上昇し、特別期間は４．００ｒｐｍに下降したのち途中で５．００ｒｐｍに上昇し、排出期間は５．００ｒｐｍを維持する。１２回転目の非特別期間は６．２５ｒｐｍに上昇し、特別期間は４．００ｒｐｍに下降したのち途中で５．００ｒｐｍに上昇し、排出期間は５．００ｒｐｍを維持して１回の変更パターンを終了する。そして再び最初の１回転目に復帰し、これを反復継続するものである。
【００６６】
このように、本実施例では、１２回転のうちで回転体６５の回転数を多様に変化させることで、作動契機領域７０を遊技球が通過することに対する難易度を変化させるものである。
【産業上の利用可能性】
【００６７】
パチンコ機等の遊技球を用いて遊技を行う遊技機に利用できる。
【図面の簡単な説明】
【００６８】
【図１】遊技球を用いて遊技する遊技機の一例としてのパチンコ機１を示す概略正面図である。
【図２】遊技盤面２０に形成された遊技領域３０内に配置される構成物の一例を示す概略正面図である。
【図３】図３（ａ）は振り分け装置５０の概略正面図であり、図３（ｂ）は受入口５３の周辺構成を説明する概略拡大図であり、図３（ｃ）は振り分け装置５０の概略断面図であり、図３（ｄ）は下支え案内面６６の拡大断面図である。
【図４】回転体６５の構成を説明する概略正面図である。
【図５】図５（ａ）は、回転体６５の取り付け基準位置にある状態を示す説明図である。図５（ｂ）は、可動側壁５８が常態位置にある状態を示す説明図である。
【図６】図６（ａ）は、可動側壁５８が移動位置にある状態を示す説明図である。図６（ｂ）は、可動側壁５８が移動位置にある状態を示す拡大説明図である。
【図７】図７（ａ）は、可動側壁５８が移動位置にある状態を示す説明図である。図７（ｂ）は、可動側壁５８が常態位置にある状態を示す説明図である。
【図８】図８（ａ）は、本実施例における回転体６５の回転速度の変更パターン（１回転目から６回転目）を説明する概略タイムチャートであり、図８（ｂ）は、本実施例における回転体６５の回転速度の変更パターン（７回転目から１２回転目）を説明する概略タイムチャートである。
【符号の説明】
【００６９】
１  パチンコ機本体
２  外枠
３  内枠
４  ガラスパネル
５  球皿パネル
６  開口窓部
７  装飾部
８  スピーカ
９  球皿
１０  発射ハンドル
２０  遊技盤面
３０  遊技領域
３１  演出表示装置（電動装置）
３２  特別図柄表示部（電動装置）
３３  特別図柄保留ＬＥＤ
３４  風車
３５  一般入賞口
３６  一般入賞口
３７  検出スイッチ（遊技球検出手段）
４０  大入賞口
５０  振り分け装置
５１  取付ベース
５２  周壁
５３  受入口
５４  透明カバー（カバー部材）
５５  モータ取付板
５６  ステッピングモータ（下支え案内部材駆動手段）
５７ａ  固定側壁（左）（側壁部）
５７ｂ  固定側壁（右）（側壁部）
５８  可動側壁（可動側壁部）
５９  第１の空間
６０  第２の空間
６１  第３の空間（退避空間）
６２  遊技球流入空間
６５  回転体
６６  下支え案内面（案内面、検出案内面）
６６１  下支え案内面後端部
６６２  下支え案内面前端部
６７  排出案内面（案内面、排出案内面）
６８  標識（非特別期間明示手段）
７０  作動契機領域（契機領域）
７０ａ  球入口
７１  非作動領域（非契機領域）
Ｐ１  載置遊技球（第１載置遊技球）
Ｐ２  後続の遊技球
Ｐ３  ３番目以降の後続の遊技球
【図１】
2008264204.tif 000003
【図２】
2008264204.tif 000004
【図３】
2008264204.tif 000005
【図４】
2008264204.tif 000006
【図５】
2008264204.tif 000007
【図６】
2008264204.tif 000008
【図７】
2008264204.tif 000009
【図８】
2008264204.tif 000010